(57)【要約】【課題】ベースラインの安定が速いフロー式のバイオセンサーを土壌診断装置として応用するのに好適な構成を提供する。【解決手段】ユーザからの洗浄の指示により、制御部１２は、ポンプ３１，３２，５１を作動させ、また、バルブ５３，５４を開状態にすると共にバルブ３３を閉状態にする。洗浄液タンク４１の高圧の洗浄液は、配管４３を通った後に配管２１の中間部２１ａの下流側を経て脱気槽４に送られる。また、容器６１の洗浄液は、配管２１を通って脱気槽４に送られる。洗浄モードを終えるときには、制御部１２は、ポンプ３１，３２，５１の作動を停止させ、また、バルブ５３，５４を閉状態にすると共にバルブ３３を開状態にする。【選択図】図３
2007309825.tif 000002
【特許請求の範囲】
【請求項１】
バイオセンサーを用いて土壌を診断する土壌診断装置であって、
診断対象の土壌により生成された試料液体を前記バイオセンサーへ送り出す第１の送液部と、
前記第１の送液部により送り出された試料液体が前記バイオセンサーに触れて流れ出ていくように配設されたフローセルと、
前記第１の送液部により送り出される試料液体の流量よりも多い流量で前記フローセルに送られるように洗浄液を送液する第２の送液部と、
を含む土壌診断装置。
【請求項２】
前記第２の送液部は、
洗浄液を収容する収容部と、
前記収容部を加圧する加圧部と、
前記加圧部により加圧された前記収容部の洗浄液が前記フローセルに送られる流路の途中に配置され、当該流路を開閉するための開閉部と、
を備えることを特徴とする請求項１に記載の土壌診断装置。
【請求項３】
前記加圧部による前記収容部の圧力を検知する検知手段と、
前記検知手段による検知結果に基づいて前記収容部の圧力を制御する制御部と、
を更に含むことを特徴とする請求項２に記載の土壌診断装置。
【請求項４】
前記第１の送液部は、試料液体の代わりに洗浄液を前記フローセルに送り出すことができるように構成され、これにより、当該第１の送液部から当該フローセルまでの区間の洗浄を行うことを特徴とする請求項１に記載の土壌診断装置。
【請求項５】
バイオセンサーを用いて土壌を診断する土壌診断装置であって、
診断対象の土壌により生成された試料液体を前記バイオセンサーへ送り出す送液部と、
前記送液部により送り出された試料液体が前記バイオセンサーに接して流れ出ていくように配設され、かつ、当該試料液体の流量よりも多い流量で洗浄液が送られるフローセルと、
前記フローセルから流れていく試料液体を装置外に排出する排出部と、
試料液体が流れる流路の前記フローセルより上流側に配置され、前記送液部により送り出された試料液体から気泡を除去する気泡除去部と、
を含み、
前記送液部から送り出す試料液体の量よりも前記排出部で排出される試料液体の量の方が少なく、その差分の試料液体が前記気泡除去部において気泡と共に装置外に排出されることを特徴とする土壌診断装置。
【請求項６】
前記フローセルに送られる試料液体を予熱する予熱部を更に含み、
前記予熱部は、前記気泡除去部に設けられていることを特徴とする請求項５に記載の土壌診断装置。
【発明の詳細な説明】
【技術分野】
【０００１】
本発明は、フローシステムを採用した土壌診断装置に関するものである。
【背景技術】
【０００２】
バイオセンサーは、生物の持つ優れた分子識別能力を利用して測定対象物質を認識する部位（分子識別素子）と、認識した情報を電子的な信号などに変換する部位（信号変換素子）とを備えているものである。この分子識別素子として、例えば、酵素、抗体、ＤＮＡ、細胞、微生物などが用いられる。また、信号変換素子としては、電極、サーミスタ、受光デバイス、水晶振動子などの物理的測定装置が使用される。このため、バイオセンサーは、この２種類の素子（コンポーネント）の組み合わせにより様々なものが提案されている。
【０００３】
このようなバイオセンサーを用いた土壌診断装置が提案されている（例えば、特許文献１参照）。この特許文献１には、１回の測定ごとに電極を測定容器から上げて洗浄し、測定容器内のサンプル液を新たなサンプル液に交換するバッチ式を採用した土壌診断装置が開示されている。
【０００４】
【特許文献１】国際公開第２００５／０４９８５４号パンフレット
【発明の開示】
【発明が解決しようとする課題】
【０００５】
このようなバッチ式の土壌診断装置では、新たなサンプル液に電極を浸漬するときには、液の乱流が起こってしまう。また、電極に気泡がつきやすく、１度ついた気泡は取れにくい。このため、サンプル液を交換するときには、電極の出力が不安定な状態となり、ベースラインが安定するのに時間がかかっていた。このような不具合は、従来からあるフロー式バイオセンサーを土壌診断装置に応用すれば、電極が固定された状態で、電極の洗浄やサンプル液の置き換えが行われることから、一応の解決を図れる。
【０００６】
ところが、土壌診断装置に用いられるサンプル液は、診断対象の土壌試料を採取し、水、溶媒または緩衝液を加えて撹拌、混合するなどして生成されるため、サンプル液中に土壌試料が混入している。このため、サンプル液をサンプル流路を介してフローセル内に導入するときに、土壌試料も流入することとなり、この土壌試料は、フローセル内に沈殿する。この土壌試料は電極に付着するなどして、出力値に影響を及ぼし、正確な診断ができなくなるため、除去する必要がある。特に応答の小さい土壌試料を診断する場合には、高濃度の土壌試料を添加する必要があり、サンプル液中の土壌試料の割合が多くなるため、サンプル流路やフローセル内に多量の土壌試料が流入してしまう。
【０００７】
ここで、特開２０００−１４６８９３号公報には、メッシュの濾網を用いて検水導入用の流路の目詰まり・狭窄を防止し、円滑なＢＯＤ計測が可能な計測装置が開示されている。しかしながら、土壌診断装置においては、メッシュの濾網を用いても、土壌試料がサンプル流路やフローセル内に流れ込むことを完全に防止することはできない。また、ＢＯＤ測定のときに問題となる夾雑物は主に藻類なので、仮にフローセル内に流入しても洗浄液の送液等で取り除くことができるが、土壌試料は重く、通常、下方からサンプルを導入し、上方から排出させる構成をとるフローセルから排出させることは、従来の構造では困難であった。
【０００８】
本発明は、以上のような技術的課題を解決するためになされたものであり、その目的とするところは、ベースラインの安定が速いフロー式のバイオセンサーを土壌診断装置として応用するのに好適な構成を提供することにある。
【課題を解決するための手段】
【０００９】
かかる目的のもと、本発明が適用される土壌診断装置は、バイオセンサーを用いて土壌を診断する土壌診断装置であって、診断対象の土壌により生成された試料液体をバイオセンサーへ送り出す第１の送液部と、第１の送液部により送り出された試料液体がバイオセンサーに触れて流れ出ていくように配設されたフローセルと、第１の送液部により送り出される試料液体の流量よりも多い流量でフローセルに送られるように洗浄液を送液する第２の送液部と、を含むものである。
【００１０】
第２の送液部は、洗浄液を収容する収容部と、収容部を加圧する加圧部と、加圧部により加圧された収容部の洗浄液がフローセルに送られる流路の途中に配置され、流路を開閉するための開閉部と、を備えることを特徴とすることができる。また、加圧部による収容部の圧力を検知する検知手段と、検知手段による検知結果に基づいて収容部の圧力を制御する制御部と、を更に含むことを特徴とすることができる。
また、第１の送液部は、試料液体の代わりに洗浄液をフローセルに送り出すことができるように構成され、これにより、第１の送液部からフローセルまでの区間の洗浄を行うことを特徴とすることができる。
【００１１】
他の観点から捉えると、本発明が適用される土壌診断装置は、バイオセンサーを用いて土壌を診断する土壌診断装置であって、診断対象の土壌により生成された試料液体をバイオセンサーへ送り出す送液部と、送液部により送り出された試料液体がバイオセンサーに接して流れ出ていくように配設され、かつ、試料液体の流量よりも多い流量で洗浄液が送られるフローセルと、フローセルから流れていく試料液体を装置外に排出する排出部と、試料液体が流れる流路のフローセルより上流側に配置され、送液部により送り出された試料液体から気泡を除去する気泡除去部と、を含み、送液部から送り出す試料液体の量よりも排出部で排出される試料液体の量の方が少なく、その差分の試料液体が気泡除去部において気泡と共に装置外に排出されることを特徴とするものである。
【００１２】
フローセルに送られる試料液体を予熱する予熱部を更に含み、予熱部は、気泡除去部に設けられていることを特徴とすることができる。
【発明の効果】
【００１３】
本発明によれば、ベースラインの安定が速いフロー式のバイオセンサーを土壌診断装置として応用するのに好適な構成を提供することが可能になる。
【発明を実施するための最良の形態】
【００１４】
以下、添付図面を参照して、本発明の実施の形態について詳細に説明する。
図１は、本実施の形態に係る土壌診断装置１の構成を示す概略図である。
図１に示す土壌診断装置１は、病原微生物と一般土壌微生物を２本の酸素電極にそれぞれ固定化した微生物センサー（バイオセンサー）を用いて土壌診断を行う装置であり、電極Ａ、電極Ｂ、フローセル２、フローセル３及びトランスデューサー部１１を備えている。
電極Ａは、病原微生物を酸素電極に固定化した微生物センサーであり、電極Ｂは、一般土壌微生物を酸素電極に固定化した微生物センサーである。フローセル２は、入口２ａ及び出口２ｂを有している。そして、フローセル２は、入口２ａから流入した診断対象の液体が電極Ａに触れて出口２ｂから流れ出ていくように構成されている。同様に、フローセル３は、入口３ａおよび出口３ｂを有し、入口３ａから流入した診断対象の液体が電極Ｂに接して出口３ｂから流れて出ていくように構成されている。トランスデューサー部１１は、電極Ａからの信号及び電極Ｂからの信号を受信するように構成されている。
【００１５】
土壌診断装置１の概要について更に説明すると、この電極Ａ及び電極Ｂに土壌サンプルを接触させ、土壌環境がどちらの菌の増殖に至適であるかを、２つの菌の呼吸活性の変化を比較することにより土壌を診断する。具体的には、その土壌サンプルが、病原微生物の増殖しやすい発病土壌であるか、または病原微生物の増殖しにくい健全土壌（病害抑制型土壌）であるかについて診断する。なお、この土壌サンプルは、診断対象の土壌試料を採取し、水、溶媒または緩衝液を加えて撹拌、混合するなどして生成される。
【００１６】
ここで、土壌診断の原理を説明すると、例えば、発病土壌を土壌サンプルとした場合には、病原微生物が住みやすい土壌環境であるため、電極Ａの病原微生物の呼吸活性が電極Ｂの一般土壌微生物よりも高くなる。その一方で、健全土壌を土壌サンプルとした場合には、一般土壌微生物が住みやすい土壌環境であるため、電極Ｂの一般土壌微生物の呼吸活性が電極Ａの病原微生物よりも高くなる。電極Ａからの信号及び電極Ｂからの信号をトランスデューサー部１１が受信することで、２つの菌の呼吸活性についての情報を取得することができる。
【００１７】
したがって、土壌診断装置１を利用すれば、複雑で多様なために解析が難しい土の中の状態を簡単かつ迅速に診断できる。このため、植物の病気、特に土の中で起こる病気の早期発見や早期防除が可能になる。
【００１８】
次に、土壌診断装置１の構成について更に説明する。
土壌診断装置１は、土壌サンプルのための各種の流路機器を備えている。すなわち、土壌診断装置１は、土壌サンプルをフローセル２，３に送るための流路を形成すると共に、フローセル２，３に送られた土壌サンプルを廃液として装置外に排出するための流路を形成する複数の配管を備えている。具体的には、土壌診断装置１は、フローセル２，３の上流側に配置され、土壌サンプルの容器５とフローセル２，３をつなぐ配管２１，２２と、フローセル２，３の下流側に配置される配管２３と、を備えている。なお、配管２２は、途中で二股に分かれて形成されている。また、配管２３は、二股から途中で１本に形成されている。
【００１９】
そして、土壌診断装置１は、配管２１に配設され、容器５の土壌サンプルをフローセル２，３に圧送するように作動するポンプ（第１の送液部、電磁弁）３１と、配管２３に配設され、フローセル２，３の土壌サンプルを装置外に排出するように作動するポンプ３２と、を備えている。また、土壌診断装置１は、ポンプ３１，３２の作動を制御する制御部１２を備えている。
【００２０】
土壌診断装置１は、土壌サンプルの気泡抜き機構（気泡除去部）を備えている。すなわち、土壌診断装置１は、配管２１と配管２２との間に配設され、フローセル２，３に供給される土壌サンプルから気泡を分離除去する脱気槽（気泡抜きブロック）４と、脱気槽４の上部に配置され、脱気槽４内の土壌サンプルの気泡を土壌サンプルの一部と共に脱気槽４の外に出すための配管２４と、制御部１２により開閉動作が制御されるバルブ３３と、を備えている。土壌サンプルがフローセル２，３に送られる前に脱気槽４によって気泡が除去される。言い換えると、脱気槽４によって気泡が除去された土壌サンプルがフローセル２，３に送られる。
脱気槽４は、フローセル２，３に送られる土壌サンプルを予熱するための予熱部４ａを有している。すなわち、脱気槽４は、予熱機能を兼用している。なお、予熱部４ａは、制御部１２により制御されている。
【００２１】
また、土壌診断装置１は、洗浄液でフローセル２，３を洗浄するための各種の流路機器を備えている。すなわち、ポンプ（加圧部）５１と洗浄液タンク４１とをつなぐ配管４２と、洗浄液タンク４１と配管２１の中間部２１ａとをつなぐ配管４３と、配管２３の中間部２３ａから分岐して装置外へ延びる配管４４と、配管４４に取り付けられ、制御部１２により開閉動作が制御されるバルブ５４と、を備えている。
【００２２】
そして、土壌診断装置１は、高流量洗浄機構（第２の送液部）を備えている。すなわち、土壌診断装置１は、洗浄液タンク（収容部）４１と、洗浄液タンク４１をエアで加圧するように作動する空気圧送用のポンプ（加圧部）５１と、配管４３に取り付けられ、制御部１２により開閉動作が制御されるバルブ（開閉部）５３とを備えている。
【００２３】
土壌診断装置１は更に、配管４２に取り付けられ、ポンプ５１により加圧される洗浄液タンク４１内の圧力を測定する圧力センサー（検知手段）５２と、を備えている。制御部１２は、圧力センサー５２から測定情報を取得し、その測定情報に基づいてポンプ５１の作動を制御する。このようにして、制御部１２は、洗浄液タンク４１の内部圧力が一定範囲（例えば、０．０５ＭＰａ）となるようにしている。
【００２４】
ここで、高流量洗浄機構（第２の送液部）が洗浄液を送液するときの流量は、土壌サンプルを送り出すためのポンプ３１の流量よりも高流量である。その一例を示すと、ポンプ３１の流量は毎分４ｍｌであり、高流量洗浄機構による送液流量は毎分２００ｍｌである。
【００２５】
更に説明すると、配管２１の中間部２１ａは、配管２１におけるポンプ３１と脱気槽４との間に位置している。すなわち、洗浄液タンク４１の洗浄液は、配管４３を通って脱気槽４に送られる。このため、配管２１の中間部２１ａよりも上流側の区間は、洗浄液タンク４１の洗浄液によって洗浄することができない。しかし、後述するように、配管２１の区間は、洗浄液の容器６１（図３参照）により洗浄される。
【００２６】
図２は、土壌診断装置１のブロック図である。
図２に示すように、土壌診断装置１は、トランスデューサー部１１からの信号が入力されると共に制御部１２との間で信号の入出力がなされ、各種のデータ処理を行う処理部（ＣＰＵ）１３を備えている。また、土壌診断装置１は、土壌診断装置１に対する指示をユーザが行うための操作部（操作スイッチ）１４と、処理部１３によるデータ処理の結果をユーザに知らせるための表示部（表示画面）１５と、各種のデータを記憶する記憶部（メモリ）１６と、を備えている。
【００２７】
次に、土壌診断装置１を用いた土壌診断の手順について洗浄工程を含めて説明する。
図２に示す操作部１４をユーザが操作して土壌診断の指示を行うと、操作部１４は、その信号を図２に示す処理部１３に送信する。処理部１３は、所定の処理をした後に、制御部１２に伝送する。すると、制御部１２は、土壌診断モードとなるように各種の機器を制御する。すなわち、制御部１２は、図１に示すポンプ３１，３２を作動させ、また、図１に示すように、バルブ３３を開状態にする。なお、土壌診断モードのときには、制御部１２は、ポンプ５１が停止状態であり、かつ、図１に示すように、バルブ５３，５４が閉状態となるように制御する。
【００２８】
図１に示す容器５の土壌サンプルは、ポンプ３１により吸引され、配管２１を通じて脱気槽４に送られる。脱気槽４では、土壌サンプルの水面にある気泡が土壌サンプルの一部と共に配管２４を通って排出される。更に説明すると、ポンプ３１により脱気槽４に送られた土壌サンプルのうち例えば２割程度が配管２４から気泡と共に廃液され、残りの８割程度がポンプ３２により廃液される。すなわち、ポンプ３１により毎分４ｍｌの土壌サンプルが脱気槽４に送られると、フローセル２，３に供給されるのは、毎分３．２ｍｌであり、残りの毎分０．８ｍｌが配管２４から廃液される。
【００２９】
このように、ポンプ３１とポンプ３２との流量に差を設けている。具体的には、脱気槽４の上流側に配置されたポンプ３１の流量よりも、脱気槽４の下流側に配置されたポンプ３２の流量を小さくしている。すなわち、入口側の流量よりも出口側の流量を少なくしている。このように構成することにより、気泡の除去を確実に行うことができる。
【００３０】
土壌サンプルは、ポンプ３１，３２の作用によって、脱気槽４から配管２２を通ってフローセル２，３に供給され、電極Ａ及び電極Ｂに触れる。電極Ａ及び電極Ｂからは、土壌サンプルの供給に伴う出力変化がトランスデューサー部１１に信号として送られ、その信号は、処理部１３にて所定のデータ処理が施される。これにより、土壌サンプルとしての土壌が発病土壌か健全土壌かを診断することができる。土壌診断の結果は、図２に示す表示部１５に表示され、また、必要に応じて記憶部１６に記憶される。
【００３１】
このような土壌診断は、通常複数回行われる。そして、土壌診断を行う度に、土壌診断装置１の全体の洗浄が行われる。すなわち、土壌診断モードと次の土壌診断モードとの間には、洗浄モード（洗浄工程）が行われる。
図３は、洗浄モードを説明するための土壌診断装置１の概略構成図である。
図３に示すように、洗浄モードを行うときには、土壌サンプルの容器５（図１参照）の代わりに、洗浄液の容器６１を配管２１の上流側の端部に設置する。そして、図２に示す操作部１４をユーザが操作して洗浄の指示を行うと、その信号を受けた制御部１２は、洗浄モードとなるように各種の機器を制御する。すなわち、制御部１２は、ポンプ３１、ポンプ３２及びポンプ５１を作動させ、また、バルブ５３及びバルブ５４を開状態にすると共に、バルブ３３を閉状態にする。なお、ポンプ５１は、上述したように、圧力センサー５２の測定情報に基づきフィードバック制御される。
【００３２】
洗浄液タンク４１の洗浄液は、配管４３を通った後に配管２１の中間部２１ａの下流側を経て脱気槽４に送られる。また、容器６１の洗浄液は、配管２１を通って脱気槽４に送られる。このようにして、配管２１の全長にわたって洗浄液が通ることで、配管２１の洗浄が行われる。また、ポンプ３１の洗浄も行われる。また、配管４３におけるバルブ５３の下流側部分の洗浄も行われる。
【００３３】
脱気槽４では、バルブ３３が閉状態のため、洗浄液が配管２４から外へ排出されることはない。このため、洗浄液タンク４１からの高流量の洗浄液は、すべてフローセル２，３に送られる。そして、洗浄液は、配管２３から廃液されると共に、配管４４からも廃液される。したがって、脱気槽４、配管２２，２３、フローセル２，３及び電極Ａ，Ｂの洗浄が行われる。ポンプ３２の洗浄及び配管４４の洗浄も行われる。  
言い換えると、本実施の形態では、洗浄モード時には、高流量の洗浄液がフローセル２，３を流れるように構成されている。更には、洗浄モードの際に、ポンプ３１，３２も作動させることで、洗浄液タンク４１の洗浄液が通らない他のラインも洗浄することが可能になる。
【００３４】
ここで、土壌診断モードでは、電極Ａ及び電極Ｂの各々に、土壌サンプルに含まれている土壌試料の沈殿が生じる。そして、洗浄モードでは、土壌診断モードの場合の流量よりも高い流量で洗浄液を電極Ａ及び電極Ｂに送り込むので、このような沈殿物は洗浄液と共に装置外へ洗い流される。
【００３５】
洗浄モードを終えるときには、制御部１２は、ポンプ５１の作動を停止させ、また、バルブ５３，５４を閉状態にすると共にバルブ３３を開状態にする。洗浄モードが終了すると、上述した土壌診断モードに移行する。
【００３６】
このように、本実施の形態では、測定ごとに容器内の土壌サンプルを交換するバッチシステム（バッチ方式）ではなく、測定に際し土壌サンプルを連続的に流すフローシステム（フロー方式）を採用している。
バッチシステムにおいては、１回の測定ごとに電極を測定容器から上げて洗浄し、測定容器内の液をすべて交換する。そのため、電極に気泡がつきやすく、また、電極を動かすために土壌サンプルの乱流が起こる等の原因でベースラインの安定に時間がかかっていた。その一方で、本実施の形態のようにフローシステムを採用し、電極を固定してポンプで土壌サンプルを流すように構成すれば、ベースラインの安定が速く、出力値が安定するため診断精度が向上し、標準偏差も小さくなることが発明者の実験により確認されている。更に、高濃度の土壌試料の添加が可能になり、応答の小さい黒ぼく土などの土壌試料の診断精度が向上することも確認されている。
【００３７】
また、フローシステムを採用する場合には、電極Ａ，Ｂへの気泡の影響が懸念されるが、本実施の形態では、脱気槽４で土壌サンプルを脱気することにより、フローセル２，３へ気泡が送られることを防止している。このため、フローシステムの採用に伴う気泡の影響を小さく或いは無くすことができる。
【００３８】
本実施の形態では、高流量の洗浄液がフローセル２，３を通過するので、フローセル２，３の内部を洗浄することができる。このため、低圧力の洗浄液では除去できないようなフローセル２，３の中の沈殿物を確実に除去することができる。なお、発明者の実験では、すべての配管２１，２２，２３，２４，４２，４３,４４の内径が２ｍｍ、脱気槽４の内径が６ｍｍ、フローセル２，３の内径が２８ｍｍ、電極Ａ，Ｂの直径が２６ｍｍの場合において、配管４４からの廃液量が、毎分１００ｍｌ以上となるように洗浄液を流せば、沈殿物を除去することを確認している。なお、この場合には、フローセル２，３の内周面と電極Ａ，Ｂの外周面との距離は、約１ｍｍである。
また、洗浄モードでは、上述したような高流量洗浄機構によって高速洗浄が可能で、土壌診断装置１の全流路を例えば１分程度の短時間で完了させることができる。したがって、洗浄モードの時間を短くすることができる。また、安定した電極Ａ，Ｂの使用により、診断時間も短縮することが可能である。
【００３９】
更に説明すると、本実施の形態におけるポンプ５１は、エアにて洗浄液タンク４１の内部圧力を０．０５ＭＰａ程度にできれば十分であることから、高価な高圧圧縮空気ポンプを用いる必要がない。したがって、安価なポンプで足り、コストを削減することが可能になる。
【００４０】
また更に説明すると、本実施の形態では、洗浄のための配管４２，４３、４４を、土壌診断に用いられる配管２１，２２，２３に対して並列接続している。このため、土壌診断装置１の配管系統を簡略化することができ、構造の簡素化やコストダウンを実現することが可能になる。
なお、本実施の形態では、配管４３が脱気槽４の上流側の位置で配管２１と接続しているが、配管４３を脱気槽４に接続するように構成することも考えられる。
【００４１】
以上、本実施の形態について説明したが、その一変形例について説明する。すなわち、本実施の形態における洗浄液タンク４１、配管４２、ポンプ５１、圧力センサー５２及びバルブ５３の代わりに、図示しない高流量送液ポンプを用いることも考えられる。この高流量送液ポンプは、図示しない洗浄液供給部から洗浄液の供給を受け、かつ、高流量の洗浄液が配管４３に送り出されるように設置される。
【００４２】
このように、上述した一変形例では、低流量のポンプ３１と高流量送液ポンプとを併設している。ポンプ３１の代わりに、高流量から低流量まで対応することが可能な図示しないポンプを用いて、土壌サンプルの供給と洗浄液の供給とを１つの流路で行うことも考えられるが、そのようなポンプは高価であるため、高価なポンプを用いると、装置の製造コストを大きく押し上げる結果になる。これに対し、一変形例のような安価なポンプであれば２つ併設しても、装置の製造コストを削減することが可能になり、コストダウンが可能になる。
【図面の簡単な説明】
【００４３】
【図１】本実施の形態に係る土壌診断装置の構成を示す概略図である。
【図２】土壌診断装置のブロック図である。
【図３】洗浄モードを説明するための土壌診断装置の概略構成図である。
【符号の説明】
【００４４】
１…土壌診断装置、２，３…フローセル、４…脱気槽、４ａ…予熱部、５，６１…容器、１１…トランスデューサー部、１２…制御部、２１，２２，２３，２４，４２，４３，４４…配管、２１ａ，２３ａ…中間部、３１，３２，５１…ポンプ、３３，５３，５４…バルブ、４１…洗浄液タンク、５２…圧力センサー、Ａ，Ｂ…電極
【図１】
2007309825.tif 000003
【図２】
2007309825.tif 000004
【図３】
2007309825.tif 000005